(57)【要約】【課題】定着部の温度を効率的に低下させてジャム処理におけるユーザの作業性を改善することができる定着装置を提供する。【解決手段】定着装置１００において、画像をシートに加熱定着する定着部３０と、定着部３０が定着動作を停止する際に閉状態から開状態へと変位する、定着部３０を開閉可能なシャッタ８３と、を有する。【選択図】図６
2018180483.tif 000002
【特許請求の範囲】
【請求項１】
画像をシートに加熱定着する定着手段と、
前記定着手段が定着動作を停止する際に閉状態から開状態へと変位する、前記定着手段を開閉可能な開閉ユニットと、
を有することを特徴とする定着装置。
【請求項２】
前記開状態へと変位する前記開閉ユニットを介して前記定着手段を冷却する冷却手段を更に有することを特徴とする請求項１に記載の定着装置。
【請求項３】
前記開閉ユニットは、前記定着手段に搬送されるシートを定着する際に、シート搬送方向と直交するシート幅方向におけるシートの非通過領域が対向する領域を開閉可能であることを特徴とする請求項１または請求項２に記載の定着装置。
【請求項４】
温度を検知する温度検知手段を備え、
前記冷却手段は、前記温度検知手段の温度が所定以下になるまで稼働することを特徴とする請求項２または請求項３に記載の定着装置。
【請求項５】
前記開閉ユニットは、前記定着手段に搬送されるシートを定着する際に、シート搬送方向と直交するシート幅方向の両端部と対向する領域を開閉可能であることを特徴とする請求項１乃至４のいずれか１項に記載の定着装置。
【請求項６】
前記開閉ユニットは、前記定着手段に搬送されるシートを定着する際にシート搬送方向と直交するシート幅方向の全域と対向する領域を開閉可能であることを特徴とする請求項１乃至４のいずれか１項に記載の定着装置。
【請求項７】
前記冷却手段は、送風可能なファンであることを特徴とする請求項２乃至６のいずれか１項に記載の定着装置。
【請求項８】
画像を搬送されるシートに加熱定着する定着手段と、
搬送されるシートの異常状態が検知されることに応答して閉状態から開状態へと変位する、前記定着手段を開閉可能な開閉ユニットと、
を有することを特徴とする定着装置。
【請求項９】
前記開状態へと変位する前記開閉ユニットを介して前記定着手段を冷却する冷却手段を更に有することを特徴とする請求項８に記載の定着装置。
【請求項１０】
前記開閉ユニットは、前記定着手段に搬送されるシートを定着する際に、シート搬送方向と直交するシート幅方向におけるシートの非通過領域が対向する領域を開閉可能であることを特徴とする請求項８または請求項９に記載の定着装置。
【請求項１１】
温度を検知する温度検知手段を備え、
前記冷却手段は、前記温度検知手段の温度が所定以下になるまで稼働することを特徴とする請求項９または請求項１０に記載の定着装置。
【請求項１２】
前記開閉ユニットは、前記定着手段に搬送されるシートを定着する際に、シート搬送方向と直交するシート幅方向の両端部と対向する領域を開閉可能であることを特徴とする請求項８乃至１１のいずれか１項に記載の定着装置。
【請求項１３】
前記開閉ユニットは、前記定着手段に搬送されるシートを定着する際にシート搬送方向と直交するシート幅方向の全域と対向する領域を開閉可能であることを特徴とする請求項８乃至１１のいずれか１項に記載の定着装置。
【請求項１４】
前記冷却手段は、送風可能なファンであることを特徴とする請求項９乃至１３のいずれか１項に記載の定着装置。
【請求項１５】
シート上に画像を形成する画像形成手段と、
請求項１乃至１４のいずれか１項に記載の定着装置と、
を有し、
前記画像形成手段が画像を形成したシートを前記定着装置が定着することを特徴とする画像形成装置。
【発明の詳細な説明】
【技術分野】
【０００１】
本発明は、記録媒体に画像を定着する定着装置に関する。
【背景技術】
【０００２】
電子写真方式、静電記録方式等の画像形成装置においては、画像情報に対応したトナー像をシート上に転写させ、そのシートを定着装置に搬送してトナー像をシート上に固着画像として定着させた後、画像形成物として機外に排出する。このときに用いられる定着方式としては、シート上の未定着画像及びシートに対して熱と圧力を付与して定着を行う熱定着方式が一般的である。
【０００３】
このような熱定着方式では、例えば小サイズのシートを定着する場合、定着を行う定着部における非通過領域ではシートに熱が奪われないため、通過領域と比較して高温化する。そこで従来から、定着部における非通過領域の昇温を抑制するための構成が提案されている。
【０００４】
例えば特許文献１では、冷却用のファンによって定着部に送風を行う際に、定着するシートの幅に応じて送風口の幅方向の長さを調節することで、通過領域の温度を維持しつつ、非通過領域を冷却して昇温を抑制する構成が記載されている。
【先行技術文献】
【特許文献】
【０００５】
【特許文献１】特開２００３−７６２０９号公報
【発明の概要】
【発明が解決しようとする課題】
【０００６】
定着部や画像形成装置の他の部分でシートのジャム（詰まり）が起き、これに伴って画像形成装置が停止した場合、定着部にシートが残留することがある。この場合、ユーザはシートを定着部から取り除くジャム処理を行う必要がある。
【０００７】
ここで画像形成装置の停止とほぼ同時に定着部の加熱も停止されるものの、上述した通り、定着部はトナー像の定着のために高温となる。このためジャム処理時においては、ユーザの作業性を改善する観点から、定着部が冷却されていることが望ましい。
【０００８】
しかし特許文献１では、定着部を冷却する構成は記載されているものの、ジャム処理に関する記載はない。このため、特許文献１に記載の構成では、ジャム処理時に定着部が効率よく冷却されないことが懸念され、ユーザは定着部が冷えるまで待機する必要が有り、作業性が悪い。
【０００９】
そこで本発明はこのような現状に鑑みてなされたものであり、定着部の温度を効率的に低下させることができる定着装置を提供することを目的とする。
【課題を解決するための手段】
【００１０】
この目的を達成するために、本発明に係る定着装置は、画像をシートに加熱定着する定着手段と、前記定着手段が定着動作を停止する際に閉状態から開状態へと変位する、前記定着手段を開閉可能な開閉ユニットと、を有することを特徴とする。
【発明の効果】
【００１１】
本発明によれば、定着部の温度を効率的に低下させることができる。
【図面の簡単な説明】
【００１２】
【図１】画像形成装置の断面概略図である。
【図２】定着装置の断面概略図である。
【図３】冷却部の斜視図である。
【図４】冷却部の斜視図である。
【図５】画像形成装置のシステム構成を示すブロック図である。
【図６】ジャム対策シーケンスのフローチャートである。
【図７】ジャム対策シーケンスのフローチャートである。
【図８】定着シーケンスのフローチャートである。
【図９】ジャム対策シーケンスのフローチャートである。
【図１０】冷却部の斜視図である。
【図１１】冷却部の斜視図である。
【発明を実施するための形態】
【００１３】
（第１実施形態）
＜画像形成装置＞
以下、まず本発明の第１実施形態に係る定着装置を備える画像形成装置の全体構成を画像形成時の動作とともに図面を参照しながら説明する。なお、部材の種類、形状、材質、配置、個数等は以下の実施形態のものに限定されず、その構成要素を同等の作用効果を奏するものに適宜置換する等、発明の要旨を逸脱しない範囲で適宜変更可能である。
【００１４】
図１に示す様に、画像形成装置Ａは、シートＰにトナー像を転写する画像形成部２０と、画像形成部２０に向けてシートＰを供給するシート給送部１０と、シートＰにトナー像を定着させる定着装置１００と、原稿の画像を読み取る画像読取部４０を備える。
【００１５】
画像形成部２０は、感光体ドラム２１、帯電ローラ２２、レーザスキャナユニット２３、現像装置２４、転写ローラ２５等を備える。
【００１６】
定着装置１００は、加熱源であるセラミックヒータ４００（図２参照）と温度検知手段であるサーミスタ３１１を内包し、所定の定着温度に加熱される回転可能な無端状の定着フィルム３１（加熱部材）を有する。また定着フィルム３１に接触して所定の圧力で定着フィルム３１を加圧する回転可能な加圧ローラ３２（加圧部材）を有する。
【００１７】
定着フィルム３１と加圧ローラ３２は、シートＰを挟持搬送するとともにシートＰ上のトナー像を加熱、加圧する定着ニップ部Ｎを形成する。つまり定着装置１００において、定着フィルム３１と加圧ローラ３２から、シートＰを搬送するとともにシート上のトナー像をシートＰに加熱定着させる定着部３０（定着手段）が構成される。また定着ニップ部Ｎの近傍には、シートＰの先端が定着ニップ部Ｎを抜けたことを検知する定着センサ３１０が設けられている。また定着装置１００は、後述する通り、定着部３０を冷却する冷却部８０を有する。
【００１８】
次に、画像形成装置Ａの画像形成時の動作について説明する。
【００１９】
まず制御部３００（図５参照）が画像形成ジョブ信号を受信すると、給紙カセット１１に積載収納されるシートＰが、給送ローラ１２、搬送ローラ１４によってレジストローラ１５に送り出される。
【００２０】
なお、シートＰが重送されている場合、正転ローラと反転ローラから構成される分離ローラ１３によってシートＰは一枚に分離される。また給紙カセット１１近傍には、給紙カセット１１にシートＰが収納されていることを検知するシート検知センサ３０８が設けられている。
【００２１】
レジストローラ１５は、搬送ローラ１４からシートＰが搬送される段階では回転を停止しており、搬送されるシートＰの先端がレジストローラ１５のニップ部に当接することで、シートＰ先端がニップ部に倣って斜行が矯正される。その後、所定のタイミングでレジストローラ１５が回転することで、斜行が矯正されたシートＰは感光体ドラム２１と転写ローラ２５とから形成される転写ニップ部に搬送される。
【００２２】
なお、シートＰ搬送路上の搬送ローラ１４とレジストローラ１５の間には、シートＰ先端がレジストローラ１５のニップ部に到達するタイミングを検知するためのレジストセンサ３０９が設けられている。
【００２３】
一方、画像形成部２０においては、帯電ローラ２２に帯電バイアスが印加されることで、帯電ローラ２２と接触する感光体ドラム２１の表面が帯電させられる。その後、レーザスキャナユニット２３が内部に備える光源（不図示）からレーザ光を出射し、画像読取部４０により読み取られる原稿の画像データや、外部から送信される画像データに基づいてレーザ光を感光体ドラム２１に照射する。これにより感光体ドラム２１の表面電位が部分的に低下して画像データに応じた静電潜像が感光体ドラム２１の表面上に形成される。
【００２４】
その後、現像装置２４が備える現像ローラ２４ａに現像バイアスが印加されることで、現像ローラ２４ａから感光体ドラム２１表面に形成される静電潜像にトナーを付着させてトナー像が形成される。感光体ドラム２１表面に形成されたトナー像は、感光体ドラム２１の回転により転写ニップ部に送り込まれる。
【００２５】
トナー像が転写ニップ部に到着すると、転写ローラ２５にトナーと逆極性の転写バイアスが印加され、感光体ドラム２１と転写ローラ２５に挟持搬送されているシートＰにトナー像が転写される。これによりシートＰ上にトナー像が形成される。つまり画像形成部２０は、シートＰ上にトナー像を形成するトナー像形成手段である。
【００２６】
その後、トナー像が転写されたシートＰは、定着装置１００へと搬送される。そして定着装置１００内の定着ニップ部ＮにおいてシートＰ上のトナー像が加熱・加圧され、トナー像がシートＰ上に定着される。その後、トナー像が定着されたシートＰは、排出ローラ４１によって排出トレイ４２へと排出される。
【００２７】
＜冷却部＞
次に、定着装置１００において、定着部３０を冷却する冷却部８０の構成について説明する。
【００２８】
図２は、定着装置１００の断面概略図である。図２に示す様に、冷却部８０は、定着部３０に隣接して設けられている。冷却部８０は、定着部３０に送風可能なファン８１（冷却手段）を有する。ファン８１は、定着部３０におけるシート搬送方向と直交するシート幅方向（定着フィルム３１の回転軸線方向）の各々の端部と対向するように、両端部にそれぞれ１基ずつ配置されている。
【００２９】
また各々のファン８１には、送風ダクト８２が接続されている。送風ダクト８２は、ファン８１から定着部３０まで延出するように設けられている。また送風ダクト８２と定着部３０を接続する接続部には、定着部３０を冷却可能な送風口８４（開口部）と、送風口８４の開口量を規制するシャッタ８３（開閉ユニット）が設けられている（図３も参照）。
【００３０】
送風口８４は、定着部３０のシート搬送方向と直交するシート幅方向の両端部、具体的には定着フィルム３１の両端部と対向して設けられている。つまりファン８１から送られる空気は、送風ダクト８２内を通り、送風口８４を介して定着フィルム３１の両端部に送られる。なお、定着部３０の温度はトナー像定着のために冷却部８０よりも高くなるため、ファン８１を稼働していない場合でも、シャッタ８３を開状態にすることで、定着部３０の冷却は行われる。
【００３１】
図３、図４は、冷却部８０の斜視図である。図３、４に示す様に、シャッタ８３は、等間隔の同形の歯を有するラック部８３ａを備える。また画像形成装置Ａはシャッタ用モータ３０７（図５）を有し、シャッタ用モータ３０７のシャフト部にはピニオンギア９０が取り付けられている。ピニオンギア９０は、シャッタ８３のラック部８３ａと噛み合うように配置されている。
【００３２】
シャッタ８３は、シャッタ用モータ３０７の駆動力によってピニオンギア９０が回転することで、定着部３０のシート搬送方向と直交するシート幅方向（図３に示す矢印Ｘ方向）にスライド移動する。なお、図４はシャッタ８３が全開時の冷却部８０の斜視図である。このようにシャッタ８３が開位置と閉位置との間をスライド移動することで、送風口８４の開口量を調節（規制）し、また送風口８４を開閉可能とする。
【００３３】
＜制御部＞
次に、画像形成装置Ａのシステム構成の概要について説明する。
【００３４】
図５は、画像形成装置Ａのシステム構成の一部を示すブロック図である。図５に示す様に、画像形成装置Ａは、ＣＰＵ３０１、ＲＯＭ３０２、ＲＡＭ３０３から構成される制御部３００を備える。また制御部３００には、シート検知センサ３０８、レジストセンサ３０９、定着センサ３１０、サーミスタ３１１、定着モータ３０６、ファン用モータ３０５、シャッタ用モータ３０７、搬送モータ３０４が接続されている。
【００３５】
ＲＯＭ３０２には、各種の制御プログラムやデータ等が記録されている。ＣＰＵ３０１は、ＲＯＭ３０２に格納された制御プログラムやデータに基づいて各種の演算処理を行う。ＲＡＭ３０３は、プログラムロード領域、作業領域、各種データの格納領域等を備える。
【００３６】
つまり制御部３００のＣＰＵ３０１は、ＲＯＭ３０２に格納された制御プログラムに基づいてＲＡＭ３０３を作業領域に用いながら画像形成装置Ａの各デバイスを制御する。そして各デバイスの制御を通じて感光体ドラム２１上のトナー像の形成など、上述した画像形成動作を実行させることができる。
【００３７】
またＣＰＵ３０１は、シート検知センサ３０８、レジストセンサ３０９、定着センサ３１０の検知結果からシートＰのジャムを検知することができる。つまり上記センサにおいて、シートＰの検知状態又は非検知状態が所定時間以上継続した場合、制御部３００はシートＰのジャムを検知する。つまりシート検知センサ３０８、レジストセンサ３０９、定着センサ３１０はシートＰのジャムを検知するジャム検知手段である。
【００３８】
なお、シート検知センサ３０８、レジストセンサ３０９、定着センサ３１０は、シートＰを検知できる構成であればよい。例えば発光素子と受光素子から構成される検知部と、シートＰに当接することで受光素子と発光素子の間に介在して受光素子に照射される光を遮るレバーを有し、受光素子の受光量に応じた電気信号からシートを検知する光学式のセンサを用いることができる。
【００３９】
またＣＰＵ３０１は、定着モータ３０６を制御して加圧ローラ３２の回転を制御することで、定着部３０におけるシートＰの搬送を制御することができる。また搬送モータ３０４を制御することで、搬送ローラ１４やレジストローラ１５の駆動を制御することができる。
【００４０】
またＣＰＵ３０１は、シャッタ用モータ３０７やファン用モータ３０５を制御することで、上述したシャッタ８３の開閉動作や、ファン８１の回転数を制御することができる。
【００４１】
またサーミスタ３１１は定着部３０の温度を検知し、検知結果を制御部３００に出力する。制御部３００は、この検知結果を各種の制御に用いることができる。
【００４２】
＜ジャム対策シーケンス＞
次に、ジャム発生時に冷却部８０によって定着部３０の冷却を効率的に行うためのジャム対策シーケンスについて、図６に示すフローチャートを用いて説明する。
【００４３】
図６に示す様に、まず制御部３００のＣＰＵ３０１は画像形成ジョブ信号を受信して画像形成動作を開始させると、シート検知センサ３０８、レジストセンサ３０９、定着センサ３１０の検知結果から画像形成装置Ａ内でジャムが起きているか否かを判定する（Ｓ１）。
【００４４】
次にＣＰＵ３０１は、ジャムを検知した場合、搬送モータ３０４や定着モータ３０６等を制御してシートＰの搬送を停止させるとともに、定着部３０の加熱を停止させる（Ｓ２）。つまりＣＰＵ３０１は、画像形成時にジャムを検知した場合、画像形成装置Ａ内でシートＰを搬送する定着部３０を含む全ての搬送部において、シートＰの搬送動作を停止させる。
【００４５】
次にＣＰＵ３０１は、シャッタ用モータ３０７を制御して、シャッタ８３を送風口８４を閉鎖した閉状態から開放した開状態に変位させる（Ｓ３）。
【００４６】
次にＣＰＵ３０１は、ジャム処理が終了して画像形成ジョブが再開されるタイミングでシャッタ８３を開状態から閉状態にし（Ｓ４、Ｓ５）、ジャム対策シーケンスを終了する。
【００４７】
このように定着部３０が定着動作を停止させて加熱を停止する際に、シャッタ８３を制御して定着部３０を冷却可能な送風口８４を開放する。具体的には、シートＰの搬送異常状態が検知されることに応答して定着部３０を冷却可能な送風口８４を開放する。これにより定着部３０の温度を効率的に低下させてジャム処理におけるユーザの作業性を改善することができる。
【００４８】
（第２実施形態）
次に、本発明に係る定着装置を備える画像形成装置の第２実施形態について図を用いて説明する。上記第１実施形態と説明の重複する部分については、同一の図面、同一の符号を付して説明を省略する。
【００４９】
第１実施形態では、ジャム発生時にファン８１を使用せずに定着部３０の冷却を行った。これに対して本実施形態では、ファン８１を利用してジャム発生時に定着部３０の冷却をより効率的に行う。以下、本実施形態に係るジャム対策シーケンスについて、図７に示すフローチャートを用いて説明する。
【００５０】
図７に示す様に、まず制御部３００のＣＰＵ３０１は画像形成ジョブ信号を受信して画像形成動作を開始させると、シート検知センサ３０８、レジストセンサ３０９、定着センサ３１０の検知結果から画像形成装置Ａ内でジャムが起きているか否かを判定する（Ｓ１１）。
【００５１】
次にＣＰＵ３０１は、ジャムを検知した場合、搬送モータ３０４や定着モータ３０６等を制御してシートＰの搬送を停止させるとともに、定着部３０の加熱を停止させる（Ｓ１２）。
【００５２】
次にＣＰＵ３０１は、シャッタ用モータ３０７を制御して、シャッタ８３を送風口８４を閉鎖した閉状態から開放した開状態に変位させる（Ｓ１３）。また同時に、ファン用モータ３０５を制御してファン８１の駆動をＯＮにする（Ｓ１４）。
【００５３】
次にＣＰＵ３０１は、サーミスタ３１１により定着部３０の温度を検知し、検知温度が規定値以内（所定以下）になるまで温度検知を繰り返す（Ｓ１５）。そして検知温度が規定値以内になると、ファン８１の駆動をＯＦＦし、シャッタ８３を開状態から閉状態にして、ジャム対策シーケンスを終了する（Ｓ１６、Ｓ１７）。
【００５４】
このように定着部３０が定着動作を停止させて加熱を停止する際に、ファン８１を稼働させた状態でシャッタ８３を制御して送風口８４を開放する。具体的には、シートＰの搬送異常状態が検知されることに応答して、ファン８１を稼働させた状態でシャッタ８３を制御して送風口８４を開放する。これにより定着部３０の温度を効率的に低下させてジャム処理におけるユーザの作業性を改善することができる。
【００５５】
また定着部３０の温度が所定以下になったときにファン８１の駆動を停止させることで、省エネ化や低騒音化を図ることができる。
【００５６】
（第３実施形態）
次に、本発明に係る定着装置を備える画像形成装置の第３実施形態について図を用いて説明する。上記第１実施形態、第２実施形態と説明の重複する部分については、同一の図面、同一の符号を付して説明を省略する。
【００５７】
本実施形態では、冷却部８０によってトナー像の定着時に定着部３０におけるシートＰの非通過領域の冷却を行う。またジャム発生時には、シャッタ８３を開状態にして定着部３０の冷却を効率的に行う。以下、まずはジャムが発生しない場合の通常の定着シーケンスについて図８に示すフローチャートを用いて説明する。
【００５８】
図８に示す様に、まず制御部３００のＣＰＵ３０１は、画像形成ジョブ信号を受信すると、画像形成に係るシートＰ（定着に係るシート）の搬送を開始させるとともに、シートＰのサイズ（シート幅の寸法）が所定サイズ以下か否かを判定する（Ｓ２１、Ｓ２２）。
【００５９】
次にＣＰＵ３０１は、画像形成（定着）に係るシートＰのサイズが所定以下の場合、シートＰのサイズに合わせてシャッタ８３を移動させるとともに、ファン８１の駆動をＯＮにする（Ｓ２３、Ｓ２４）。具体的には、定着ニップ部Ｎにおけるシート幅方向のシートＰの非通過領域に対応する定着部３０の位置にファン８１から送風が行われるようにシャッタ８３を移動させる。つまりシャッタ８３はシート幅方向にスライド移動するため、送風口８４において、定着ニップ部Ｎにおけるシート幅方向のシートＰの非通過領域に対応する定着部３０の位置と対向する位置が開状態となるようにシャッタ８３を移動させる。
【００６０】
次にＣＰＵ３０１は、トナー像の定着が終了すると、ファン８１の駆動をＯＦＦにし、シャッタ８３を閉状態にして、定着シーケンスを終了する（Ｓ２５〜Ｓ２７）。
【００６１】
これにより定着部３０において、トナー像の定着時にシートＰから熱を奪われないシートＰの非通過領域の昇温を抑制することができる。
【００６２】
次に、ジャム発生時に冷却部８０によって定着部３０の冷却を効率的に行うためのジャム対策シーケンスについて、図９に示すフローチャートを用いて説明する。
【００６３】
図９に示す様に、まずＣＰＵ３０１は画像形成ジョブ信号を受信して画像形成動作を開始させると、シート検知センサ３０８、レジストセンサ３０９、定着センサ３１０の検知結果から画像形成装置Ａ内でジャムが起きているか否かを判定する（Ｓ３１）。
【００６４】
次にＣＰＵ３０１は、ジャムを検知した場合、搬送モータ３０４や定着モータ３０６等を制御してシートＰの搬送を停止させるとともに、定着部３０の加熱を停止させる（Ｓ３２）。
【００６５】
次にＣＰＵ３０１は、冷却部８０のシャッタ８３が全開か否かを判定し（Ｓ３３）、シャッタ８３が全開でない場合には、シャッタ用モータ３０７を制御してシャッタ８３を全開にする（Ｓ３４）。
【００６６】
次にＣＰＵ３０１は、ファン８１の駆動がＯＮか否かを判定し（Ｓ３５）、ファン８１の駆動がＯＦＦの場合にはファン８１の駆動をＯＮに切り替える（Ｓ３６）。つまりＣＰＵ３０１は、画像形成時にシートＰの搬送が停止された場合、ファン８１を稼働させた状態でシャッタ８３を全開にするようにファン８１とシャッタ８３を制御する。
【００６７】
次にＣＰＵ３０１は、ジャム処理が終了して画像形成ジョブが再開されるタイミングでファン８１の駆動をＯＦＦし、シャッタ８３を閉状態にし、ジャム対策シーケンスを終了する（Ｓ３７〜Ｓ３９）。
【００６８】
このように定着部３０が定着動作を停止させて加熱を停止する際に、ファン８１を稼働させた状態でシャッタ８３を全開にして送風口８４を開放する。具体的には、シートＰの搬送異常状態が検知されることに応答して、ファン８１を稼働させた状態でシャッタ８３を全開にして送風口８４を開放する。これにより定着部３０の温度を効率的に低下させてジャム処理におけるユーザの作業性を改善することができる。
【００６９】
また上記構成によれば、トナー像定着時における定着部３０のシートＰ非通過領域の冷却と、ジャム発生時の定着部３０の冷却とを、共通のファン８１により実施することができる。従って、簡易で安価な構成で、トナー像定着時における定着部３０のシートＰ非通過領域の冷却と、ジャム発生時の定着部３０の効率的な冷却を行うことができる。
【００７０】
なお、上記第１〜３実施形態のジャム対策シーケンスにおいて、ファン８１の回転数をジャムが発生していない場合よりも大きくするようにＣＰＵ３０１がファン８１の回転数を制御することで、ジャム発生時の定着部３０の冷却効果をさらに向上させることができる。
【００７１】
また上記第１〜３実施形態のジャム対策シーケンスにおいて、サーミスタ３１１の検知結果に基づいて、定着部３０の温度が高い場合、低い場合よりもファン８１の回転数が大きくなるようにファン８１を制御する。これによりジャム発生時の定着部３０の冷却効果をさらに向上させることができる。
【００７２】
（第４実施形態）
次に、本発明に係る定着装置を備える画像形成装置の第４実施形態について図を用いて説明する。上記第１〜３実施形態と説明の重複する部分については、同一の図面、同一の符号を付して説明を省略する。
【００７３】
図１０、図１１は、本実施形態に係る冷却部８０の斜視概略図である。図１０、１１に示す様に、本実施形態では、第１〜３実施形態の構成と異なり、冷却部８０における送風口８４が、定着部３０におけるシート搬送方向と直交するシート幅方向全域に対向するように設けられている。具体的には、定着フィルム３１の対向位置において、定着フィルム３１の回転軸線方向全域に亘って設けられている。
【００７４】
シャッタ８３は、第１〜３実施形態の構成と同様に、シャッタ用モータ３０７の駆動力により定着部３０におけるシート搬送方向と直交するシート幅方向にスライド移動する。そして、これにより送風口８４を閉鎖する閉鎖位置と、送風口８４を全開にする開放位置との間を移動可能に構成されている。なお、図１１はシャッタ８３が全開時の冷却部８０の斜視図である。
【００７５】
またトナー像の定着時やジャム発生時の動作に関しては、第１実施形態、第２実施形態、第３実施形態で図６、図７、図８、図９に示すフローチャートを用いて説明した動作と同様の動作を行うことができる。
【００７６】
このような構成により、シャッタ８３を全開にした際に、定着部３０に更に効率よく冷風を送ることができ、定着部３０の冷却効果を更に向上させることができる。従って、ジャム処理におけるユーザの作業性を改善することができる。
【００７７】
なお、上記第１〜４実施形態では、定着フィルム３１によってシートＰ上のトナー像を加熱するフィルム加熱方式を採用したものの、本発明はこれに限られるものではない。すなわち、ハロゲンランプ等の熱源を内包する定着ローラと加圧ローラ３２とから定着部３０を形成し、この定着部３０によってシートＰを挟持搬送するとともに加熱、加圧して定着を行う方式等の他の定着方式を採用しても上記同様の効果を得ることができる。
【符号の説明】
【００７８】
２０…画像形成部（トナー像形成手段）
３０…定着部（定着手段）
３１…定着フィルム（加熱部材）
３２…加圧ローラ（加圧部材）
８１…ファン（冷却手段）
８３…シャッタ（開閉ユニット）
８４…送風口（開口部）
１００…定着装置
３００…制御部（制御手段）
３０８…シート検知センサ（ジャム検知手段）
３０９…レジストセンサ（ジャム検知手段）
３１０…定着センサ（ジャム検知手段）
３１１…サーミスタ（温度検知手段）
Ａ…画像形成装置
Ｐ…シート
【図１】
2018180483.tif 000003
【図２】
2018180483.tif 000004
【図３】
2018180483.tif 000005
【図４】
2018180483.tif 000006
【図５】
2018180483.tif 000007
【図６】
2018180483.tif 000008
【図７】
2018180483.tif 000009
【図８】
2018180483.tif 000010
【図９】
2018180483.tif 000011
【図１０】
2018180483.tif 000012
【図１１】
2018180483.tif 000013